(57)【要約】【課題】基板に光コネクタを固定する作業や、光コネクタから延出する光ファイバを基板に沿う方向に曲げて固定する作業をより容易に行う。【解決手段】光コネクタ固定部材４において、板状の基部４ａと、基部４ａの長手方向の両側にそれぞれ立設される突起部４ｂとが設けられる。基部４ａおよび突起部４ｂのうち少なくとも一方が弾性変形可能である。突起部４ｂには、基板３に形成された開口部３ａに係合する基板係合部４ｂｂと、光コネクタ２のコネクタ係合受部２ｄに係合するコネクタ係合部４ｂｃとを有している。基板係合部４ｂｂは、基部４ａから光ファイバケーブル５の外径以上に離間して突起部４ｂに設けられる。【選択図】図１
2015187627.tif 000002
【特許請求の範囲】
【請求項１】
光コネクタをその嵌合方向を基板と交わる方向となるように前記基板に固定する光コネクタ固定部材であって、
板状の基部と、前記基部の長手方向の両側にそれぞれ立設される突起部とを備え、
前記基部および前記突起部のうち少なくとも一方が弾性変形可能であり、
前記突起部には、前記基部を前記基板に形成された前記光コネクタから延出する光ファイバを挿通させる開口部に対向させ前記基板の一面側に突出させた状態で前記開口部に係合する基板係合部と、前記基板の他面側に配置される前記光コネクタの係合部に係合するコネクタ係合部とを有し、
前記基板係合部は、前記基部から前記光ファイバの外径以上に離間して前記突起部に設けられる
光コネクタ固定部材。
【請求項２】
前記基板係合部には、前記基板にその両面からそれぞれ係合する一対の当接片を有し、
前記一対の当接片のうちの少なくとも一方は、前記突起部の外側に設けられ、
前記基部および前記突起部のうちの少なくとも一方は、前記突起部の先端同士が基端同士に比べてより近接するように弾性変形可能である
請求項１に記載の光コネクタ固定部材。
【請求項３】
前記一対の当接片のうちの少なくとも一方は、弾性変形可能である
請求項２に記載の光コネクタ固定部材。
【請求項４】
１枚の板バネから構成され、
前記１枚の板バネの長手方向の中央部を挟んだ両側の端部を折り曲げ、前記中央部が前記基部、前記端部が前記突起部とされており、
前記コネクタ係合部および前記基板係合部は、前記１枚の板バネに穴を形成するか、切込みを入れるか、折り曲げるか、又はそれらの組み合わせによって形成されている
請求項１に記載の光コネクタ固定部材。
【請求項５】
光コネクタをその嵌合方向を基板に対して交わるように光コネクタ固定部材を用いて前記基板に固定する光コネクタ固定方法であって、
前記光コネクタ固定部材には、板状の基部と、前記基部の長手方向の両側にそれぞれ立設される突起部とを有し、
前記基部および前記突起部のうち少なくとも一方が弾性変形可能であり、
前記突起部には、前記基部を前記基板に形成された前記開口部に係合する基板係合部と、前記光コネクタの係合部に係合するコネクタ係合部とを有し、
前記基板係合部は、前記基部から前記光ファイバの外径以上に離間して前記突起部に設けられており、
前記基部を前記基板の開口部に対向させ前記基板の一面側に突出させた状態で前記基板係合部を前記開口部に係合するステップと、
前記コネクタ係合部を前記基板の他面側に配置される前記光コネクタの係合部に係合するステップと
を含む光コネクタ固定方法。
【請求項６】
光コネクタと、基板と、前記光コネクタをその嵌合方向を前記基板に対して交わるように前記基板に固定する光コネクタ固定部材とを備え、
前記光コネクタ固定部材には、板状の基部と、前記基部の長手方向の両側にそれぞれ立設される突起部とを有し、
板状の基部と、前記基部の長手方向の両側にそれぞれ立設される突起部とを備え、
前記基部および前記突起部のうち少なくとも一方が弾性変形可能であり、
前記突起部には、前記基部を前記基板に形成された前記光コネクタから延出する光ファイバを挿通させる開口部に対向させ前記基板の一面側に突出させた状態で前記開口部に係合する基板係合部と、前記基板の他面側に配置される前記光コネクタの係合部に係合するコネクタ係合部とを有し、
前記基板係合部は、前記基部から前記光ファイバの外径以上に離間して前記突起部に設けられる
光コネクタ固定構造。
【発明の詳細な説明】
【技術分野】
【０００１】
本発明は、光コネクタ固定部材および光コネクタ固定方法、並びに光コネクタ固定構造、特に、例えば、光コネクタをバックプレーンやミッドプレーンに固定するための光コネクタ固定部材および光コネクタ固定方法、並びに光コネクタ固定構造に関するものである。
【背景技術】
【０００２】
近年、超高速情報処理を要求されるスーパーコンピュータ、ルータやハイエンドサーバ等において、機器内のボード間通信を光信号によって行う光インターコネクション技術が普及しつつある。この技術の一つとして、例えば、機器内のバックプレーン又はミッドプレーンを介してボード間通信を行うものがある（例えば、特許文献１参照）。
この特許文献１には、パッケージボード（ボード）間の光通信にバックボード（バックプレーン）を用いる技術が記載されている。バックボード上には、入力光コネクタと出力光コネクタが固定されており、これらの光コネクタ間を接続する光ファイバがバックボードに沿って配線される。入力光コネクタおよび出力光コネクタからバックボード背面側に延出する光ファイバは、バックボードに設けられた固定部材に固定されることによって、バックボードに沿う方向に曲げられている。
ところで、バックプレーンを用いた光インターコネクション技術においては、光コネクタをバックプレーンに取り付けるために、全体がバネ材からなる取付部品を用いることがある（例えば、特許文献２参照）。
特許文献２に記載された取付部材は、バックプレーンに固定されるバックプレーンハウジングに本体部を装着し、バックプレーンに形成された取付穴に係合爪を有する弾性爪を挿入する。この弾性爪の係合爪が取付穴の両側に係合することで取付部材がバックプレーンに取り付けられる。すなわち、取付部品を取付穴に挿入して係合爪を係合させるだけで、バックプレーンハウジングをバックプレーンに取り付けることができ、光コネクタをバックプレーンに固定する作業が簡便である。
【先行技術文献】
【特許文献】
【０００３】
【特許文献１】特開２００８−５８６９５号公報
【特許文献２】特開平１１−１２５７４２号公報
【発明の概要】
【発明が解決しようとする課題】
【０００４】
しかしながら、特許文献１に記載の技術においては、光ファイバをバックボードに沿う方向に曲げるために光ファイバを固定部材に固定する作業がやや煩雑であった。
【０００５】
特許文献２に記載の技術においては、光コネクタを基板に固定する作業は簡便になるものの、光ファイバをバックボードに沿う方向に曲げるための作業は別途必要であった。
【０００６】
本発明はこのような課題を解決するためになされたものであり、例えばバックプレーンやミドルプレーンを用いた光インターコネクション技術において、それらの基板に光コネクタを固定する作業や、光コネクタから延出する光ファイバを基板に沿う方向に曲げて固定する作業をより容易に行うことができるようにするものである。
【課題を解決するための手段】
【０００７】
上記課題を解決するために、本発明は以下の構成を有する。
すなわち、第１の本発明は、光コネクタをその嵌合方向を基板と交わる方向となるように基板に固定する光コネクタ固定部材であって、板状の基部と、基部の長手方向の両側にそれぞれ立設される突起部とを備え、基部および突起部のうち少なくとも一方が弾性変形可能であり、突起部には、基部を基板に形成された光コネクタから延出する光ファイバを挿通させる開口部に対向させ基板の一面側に突出させた状態で開口部に係合する基板係合部と、基板の他面側に配置される光コネクタの係合部に係合するコネクタ係合部とを有し、基板係合部は、基部から光ファイバの外径以上に離間して突起部に設けられる光コネクタ固定部材である。
【０００８】
この光コネクタ固定部材によれば、板状の基部と、基部の長手方向の両側にそれぞれ立設される突起部とを備え、基部および突起部のうち少なくとも一方が弾性変形可能である。そして、突起部には、基部を基板に形成された光ファイバを挿通させる開口部に対向させ基板の一面側に突出させた状態で開口部に係合する基板係合部を有している。そのため、光コネクタ固定部材は、基部および突起部のうち少なくとも一方を変形させて基板に形成された開口部に挿通して開口部に基板係合部を係合させることができる。更に、突起部に設けられたコネクタ係合部で光コネクタのコネクタ係合受部に係合させることで、光コネクタを基板に固定する。これにより、光コネクタを容易な作業で基板に固定することができる。これに加え、突起部の基板係合部は、基部を基板に形成された開口部に対向させ基板の他面側に突出させた状態で基板の開口部に係合されると共に、基部から光ファイバの外径以上に離間して突起部に設けられる。これにより、基部が開口部と対向し、さらに基板と基部との間に光ファイバが挿通できる空間が形成されることから、基板の開口部から引出した光ファイバを基板に沿う方向により容易に曲げることが可能となる。この結果、基板に光コネクタを固定する作業や、光コネクタから延出する光ファイバを基板に沿う方向に曲げる作業をより容易に行うことができる。
【０００９】
上記光コネクタ固定部材においては、基板係合部には、基板にその両面からそれぞれ係合する一対の当接片を有し、一対の当接片のうちの少なくとも一方は、突起部の外側に設けられ、基部および突起部のうちの少なくとも一方は、突起部の先端同士が基端同士に比べてより近接するように弾性変形可能であることが望ましい。
【００１０】
この光コネクタ固定部材によれば、基板係合部には、基板にその両面からそれぞれ係合する一対の当接片を有し、一対の当接片のうちの少なくとも一方は、突起部の外側に設けられ、基部および突起部のうちの少なくとも一方は、突起部の先端同士が基端同士に比べてより近接するように弾性変形可能である。このため、突起部の外側に設けられた当接片同士を、基部および突起部のうちの少なくとも一方を弾性変形させて互いに近接させるだけで、基板に形成された開口部に挿入することができる。すなわち、光コネクタ固定部材を基板に係合させる作業をより容易に行うことができる。
【００１１】
上記光コネクタ固定部材においては、一対の当接片のうちの少なくとも一方は、弾性変形可能であることが望ましい。
【００１２】
この光コネクタ固定部材によれば、相手側の光コネクタにより光コネクタにその長手方向への応力が付与されると、当接片が弾性変形して光コネクタ固定部材の基板への係合が弱くなる。このため、光コネクタの基板面内方向への浮動が可能となる。従って、相手側の光コネクタが光コネクタに対して位置ずれしていても、相手側の光コネクタに合わせて光コネクタが浮動し位置ずれを吸収して相手側の光コネクタと嵌合することができる。よって、光コネクタの嵌合性を向上させることができる。
【００１３】
上記光コネクタ固定部材は、１枚の板バネから構成され、１枚の板バネの長手方向の中央部を挟んだ両側の端部を折り曲げ、中央部が基部、端部が突起部とされており、コネクタ係合部および基板係合部は、１枚の板バネに穴を形成するか、切込みを入れるか、折り曲げるか、又はそれらの組み合わせによって形成されていることが望ましい。
【００１４】
この光コネクタ固定部材は、１枚の板バネに穴を形成するか、切込みを入れるか、折り曲げるか、又はそれらの組み合わせといった簡単な加工だけで光コネクタ固定部材を製造することができる。このため、製造コストをより低減することができる。
【００１５】
第２の本発明は、光コネクタをその嵌合方向を基板に対して交わるように光コネクタ固定部材を用いて基板に固定する光コネクタ固定方法であって、光コネクタ固定部材には、板状の基部と、基部の長手方向の両側にそれぞれ立設される突起部とを有し、基部および突起部のうち少なくとも一方が弾性変形可能であり、突起部には、基部を基板に形成された開口部に係合する基板係合部と、光コネクタの係合部に係合するコネクタ係合部とを有し、基板係合部は、基部から光ファイバの外径以上に離間して突起部に設けられており、基部を基板の開口部に対向させ基板の一面側に突出させた状態で基板係合部を開口部に係合するステップと、コネクタ係合部を基板の他面側に配置される光コネクタの係合部に係合するステップとを含む光コネクタ固定方法である。
【００１６】
この光コネクタ固定方法によれば、光コネクタ固定部材は、板状の基部と、基部の長手方向の両側にそれぞれ立設される突起部とを備え、基部および突起部のうち少なくとも一方が弾性変形可能である。そして、突起部には、基部を基板に形成された光ファイバを挿通させる開口部に対向させ基板の一面側に突出させた状態で開口部に係合する基板係合部を有している。そのため、光コネクタ固定部材は、基部および突起部のうち少なくとも一方を変形させて基板に形成された開口部に突起部を挿通させて開口部に基板係合部を係合させることができる。更に、突起部に設けられたコネクタ係合部を光コネクタのコネクタ係合受部に係合させることで、光コネクタを基板に固定する。これにより、光コネクタを容易な作業で基板に固定することができる。これに加え、突起部の基板係合部は、基部を基板に形成された開口部に対向させ基板の他面側に突出させた状態で基板の開口部に係合されると共に、基部から光ファイバの外径以上に離間して突起部に設けられる。これにより、基部が開口部と対向し、さらに基板と基部との間に光ファイバが挿通できる空間が形成されることから、基板の開口部から引出した光ファイバを基板に沿う方向により容易に曲げることが可能となる。この結果、基板に光コネクタを固定する作業や、光コネクタから延出する光ファイバを基板に沿う方向に曲げる作業をより容易に行うことができる。
【００１７】
第３の本発明は、光コネクタと、基板と、光コネクタをその嵌合方向を基板に対して交わるように基板に固定する光コネクタ固定部材とを備え、光コネクタ固定部材には、板状の基部と、基部の長手方向の両側にそれぞれ立設される突起部とを有し、板状の基部と、基部の長手方向の両側にそれぞれ立設される突起部とを備え、基部および突起部のうち少なくとも一方が弾性変形可能であり、突起部には、基部を基板に形成された光コネクタから延出する光ファイバを挿通させる開口部に対向させ基板の一面側に突出させた状態で開口部に係合する基板係合部と、基板の他面側に配置される光コネクタの係合部に係合するコネクタ係合部とを有し、基板係合部は、基部から光ファイバの外径以上に離間して突起部に設けられる光コネクタ固定構造である。
【００１８】
この光コネクタ固定構造によれば、光コネクタ固定部材は、板状の基部と、基部の長手方向の両側にそれぞれ立設される突起部とを備え、基部および突起部のうち少なくとも一方が弾性変形可能である。そして、突起部には、基部を基板に形成された光ファイバを挿通させる開口部に対向させ基板の一面側に突出させた状態で開口部に係合する基板係合部を有している。そのため、光コネクタ固定部材は、基部および突起部のうち少なくとも一方を変形させて基板に形成された開口部に挿通して開口部に基板係合部を係合させることができる。更に、突起部に設けられたコネクタ係合部で光コネクタのコネクタ係合受部に係合させることで、光コネクタを基板に固定する。これにより、光コネクタを容易な作業で基板に固定することができる。これに加え、突起部の基板係合部は、基部を基板に形成された開口部に対向させ基板の他面側に突出させた状態で基板の開口部に係合されると共に、基部から光ファイバの外径以上に離間して突起部に設けられる。これにより、基部が開口部と対向し、さらに基板と基部との間に光ファイバが挿通できる空間が形成されることから、基板の開口部から引出した光ファイバを基板に沿う方向により容易に曲げることが可能となる。この結果、基板に光コネクタを固定する作業や、光コネクタから延出する光ファイバを基板に沿う方向に曲げる作業をより容易に行うことができる。
【発明の効果】
【００１９】
本発明によれば、基板に光コネクタを固定する作業や、光コネクタから延出する光ファイバを基板に沿う方向に曲げて固定する作業をより容易に行うことができる。
【図面の簡単な説明】
【００２０】
【図１】本発明に係る第１実施形態の光コネクタ固定構造を示す斜視図である。
【図２】図１の光コネクタ固定構造を示す斜視図である。
【図３】図１の光コネクタ固定部材の示す斜視図である。
【図４】図１の光コネクタ固定部材による光コネクタ固定作業を説明する図である。
【図５】図１の光コネクタ固定部材による光コネクタ固定作業を説明する図である。
【図６】図１の光コネクタ固定部材による光コネクタ固定作業を説明する図である。
【図７】図１の光コネクタ固定部材による光コネクタ固定作業を説明する図である。
【図８】図１の光コネクタ固定部材による光コネクタ固定作業を説明する図である。
【図９】本発明に係る第２実施形態の光コネクタ固定構造を示す斜視図である。
【図１０】図９の光コネクタ固定部材を示す斜視図である。
【図１１】図９の光コネクタ固定部材による光コネクタ固定作業を説明する図である。
【図１２】図９の光コネクタ固定部材による光コネクタ固定作業を説明する図である。
【図１３】図９の光コネクタ固定部材による光コネクタ固定作業を説明する図である。
【図１４】図９の光コネクタ固定部材による光コネクタ固定作業を説明する図である。
【図１５】図９の光コネクタ固定部材による光コネクタ固定作業を説明する図である。
【発明を実施するための形態】
【００２１】
以下、本発明の実施形態について詳細を説明する。
【００２２】
＜第１実施形態＞
【００２３】
図１乃至図８を参照して、本発明に係る第１実施形態の光コネクタ固定構造について説明する。
【００２４】
図１および図２は、第１実施形態の光コネクタ固定構造１を示す斜視図である。図１は、基板３の光コネクタ２を配置している面（表面）からみた斜視図である。この図１では、光コネクタ固定構造１以外に、光コネクタ２と嵌合する相手側の光コネクタ１０１も合わせて示されている。図２は、基板３の表面とは反対側の面（裏面）からみた斜視図である。    図３は、光コネクタ固定部材４を示す斜視図である。
【００２５】
光コネクタ固定構造１は、例えば、不図示の情報処理装置（例えば、スーパーコンピュータ）の筐体のバックプレーン（背面）に形成された光コネクタの固定構造である。
光コネクタ１０１は、この筐体に挿入するボードとしての基板１０２上で基板１０２に嵌合方向を沿わせて固定されている。光コネクタ１０１は、光ファイバケーブル１０３の端末に組み立てられている。基板１０２を筐体に挿入していくと、光コネクタ１０１が光コネクタ２に嵌合することで、基板１０２と基板３とが光学的に接続される。この用途で用いる光コネクタ２および光コネクタ１０１を総称してバックプレーンコネクタともいう。
【００２６】
なお、基板３および基板１０２に、不図示の電気コネクタをさらに設けて互いに嵌合可能とすることもできる。基板１０２を筐体に挿入すると、光学的に接続されるだけでなく、電気的にも接続されるようにできる。
【００２７】
図１に示すように、光コネクタ固定構造１には、直方体形状である光コネクタ２と、基板３と、光コネクタ２を基板３に固定するためのＵ字形状の光コネクタ固定部材４と、光コネクタ２が端末に組み立てられた光ファイバケーブル５とが設けられている。
【００２８】
以下、ＸＹＺ直交座標系を用いて各構成の位置関係を説明する。光コネクタ固定構造１において、光コネクタ２長手方向をＸ方向とし、そのＸ方向における図１中左側の向きを正向きとする。光コネクタ２幅方向をＹ方向とし、そのＹ方向における図１中右側の向きを正向きとする。光コネクタ２厚さ方向であってＸ方向およびＹ方向に直交する方向をＺ方向とし、そのＺ方向における図１中上側の向きを正向きとする。
【００２９】
光コネクタ２は、その嵌合方向を基板３と交わる方向となるように基板３に固定されている。第１実施形態および後述する第２実施形態では、光コネクタ２の嵌合方向は、光コネクタ２長手方向（Ｘ方向）となっており、Ｙ方向およびＺ方向に平行な基板３と直交する方向となっている。
【００３０】
光コネクタ２には、光コネクタ本体２ａと、光コネクタ１０１の後述する係合爪１０１ｂと係合可能な係合凹所２ｂと、光コネクタ本体２ａに保持されたフェルール２ｃと、光コネクタ固定部材４の後述するコネクタ係合部４ｂｃと係合するコネクタ係合受部２ｄとが設けられている。
【００３１】
光コネクタ本体２ａは、例えば樹脂製である。光コネクタ本体２ａには、その先端側（Ｘ方向正向きの側）に開口部２ａａが設けられている。光コネクタ本体２ａは、フェルール２ｃを開口部２ａａから外部に露出させるように保持する。
光コネクタ本体２ａは、図１に示すように、フェルール２ｃ，２ｃを光コネクタ２幅方向（Ｙ方向）に配列して保持している。ここで、光コネクタ本体２ａの保持するフェルール２ｃの数や、各フェルール２ｃの配列方向は特に限定されない。光コネクタ本体２ａにフェルール２ｃを複数列に配列して保持させることも可能である。その際の各列のフェルール２ｃの個数も任意である。
【００３２】
係合凹所２ｂは、図１では、光コネクタ本体２ａの厚さ方向（Ｚ方向）両側の側面２ａｄ，２ａｄに設けられている。
【００３３】
フェルール２ｃは、いわゆるMT(Mechanically Transferable)フェルールであり、例えばガラス繊維を高濃度に含む樹脂成形品である。フェルール２ｃは、例えば１６心MTフェルールである。フェルール２ｃの先端側（Ｘ方向正向きの側）の端面には、例えば、裸光ファイバ５ｂが８本ずつ２列に計１６本配置されている。これらの裸光ファイバ５ｂは、光ファイバケーブル５の端末に口出しされた光ファイバ素線５ａの先端に設けた被覆除去部分である。なお、フェルール２ｃの端面に配置される裸光ファイバ５ｂの本数、列数、列当たりの本数等は特に限定される訳ではない。
【００３４】
各フェルール２ｃは、図１に示すように、光ファイバケーブル５毎に設けられている。しかし、フェルール２ｃは、必ずしも光ファイバケーブル５毎に設けられる必要はなく、例えば、２個のフェルール２ｃを１本の光ファイバケーブル５の端末に設けるようにしてもよい。
【００３５】
フェルール２ｃの先端側の端面にはさらに、ガイドピン２ｃｃが設けられており、フェルール２ｃはMTフェルールの雄となっている。但し、フェルール２ｃの雌雄は特に限定される訳ではなく、MTフェルールの雌であれば、ガイドピン２ｃｃの代わりにガイドピン穴が設けられる。
【００３６】
基板３は、例えば、受発光回路や電気回路を混載する光電気混載回路基板である。基板３には、光コネクタ２から延出する光ファイバケーブル５を挿通させる長方形状の開口部３ａが形成されている。
【００３７】
光コネクタ固定部材４は、例えば金属製である。光コネクタ固定部材４には、板状の基部４ａと、基部４ａの長手方向の両側にそれぞれ立設する突起部４ｂ，４ｂとが設けられている。すなわち、光コネクタ固定部材４は、突起部４ｂ長手方向の先端向き（Ｘ方向正向き）に開口するＵ字形状となっている。基部４ａおよび突起部４ｂ，４ｂのうち少なくとも一方は弾性変形可能である。
【００３８】
突起部４ｂには、突起部本体４ｂａと、基板３の開口部３ａと係合する基板係合部４ｂｂと、光コネクタ２のコネクタ係合受部２ｄと係合するコネクタ係合部４ｂｃとが設けられている。
【００３９】
光コネクタ固定部材４は、基部４ａおよび突起部４ｂのうち少なくとも一方を変形させて基板３に形成された開口部３ａに突起部４ｂを挿通させて開口部３ａに基板係合部４ｂｂを係合させることができる。
【００４０】
更に、突起部４ｂに設けられたコネクタ係合部４ｂｃを光コネクタ２のコネクタ係合受部２ｄに係合させることで、光コネクタ２を基板３に固定する。これにより、光コネクタを容易な作業で基板に固定することができる。
【００４１】
これに加え、突起部４ｂの基板係合部４ｂｂは、基部４ａを基板３に形成された開口部３ａに対向させ基板３の裏面側に突出させた状態で基板３の開口部３ａに係合させると共に、基部４ａから光ファイバケーブル５の外径以上に離間して突起部４ｂに設けられる。これにより、図２に示すように、基部４ａが開口部３ａと対向し、さらに開口部３ａと基部４ａの間に光ファイバケーブル５が挿通できる空間（以下、挿通空間という）６が形成される。これにより、基板３の開口部３ａから引出した光ファイバケーブル５を基板３に沿う方向により容易に曲げることが可能となる。この結果、基板３に光コネクタ２を固定する作業や、光コネクタ２から延出する光ファイバケーブル５を基板３に沿う方向に曲げる作業をより容易に行うことができる。
【００４２】
開口部３ａと基部４ａの間の挿通空間６に挿通させるのは、光ファイバケーブル５には限らず、例えば、保護チューブを設けないようにし、光コネクタ２からそのまま延出する光ファイバ素線５ａなどであってもよい。その場合には、基板係合部４ｂｂは、その光ファイバ素線５ａの外径以上に基部４ａから離間させればよい。
【００４３】
挿通空間６には、基部４ａの幅方向（Ｚ方向）両側に開口６ａ，６ａが形成される。これらの開口６ａ，６ａを介して、基部４ａの幅方向（Ｚ方向）両側に光ファイバケーブル５を延出させることができる。図２では、２本の光ファイバケーブル５のいずれもが、Ｚ方向正向き側の開口６ａから延出されている。
【００４４】
光ファイバケーブル５は、例えば、光ファイバ素線５ａと、その外周を覆う保護チューブ５ｃから構成されている。
【００４５】
光ファイバケーブル５は、シリコーン樹脂製の柔軟性のある保護チューブ５ｃによって光ファイバ素線５ａが収容されている。このような柔軟性のある材料を用いることで、より小さい曲げ半径を実現することが可能となる。光ファイバ素線５ａとしては、例えば、曲げ損失を抑制するためにHAF(Hole Assisted Fiber)等を用いることができる。
【００４６】
光コネクタ１０１には、不図示のフェルールを保持するハウジング１０１ａと、光コネクタ２の係合凹所２ｂと係合する係合爪１０１ｂが設けられている。光コネクタ１０１の係合爪１０１ｂが光コネクタ２の係合凹所２ｂに係合して、光コネクタ１０１と光コネクタ２が嵌合する。
【００４７】
光コネクタ固定部材４の基板係合部４ｂｂには、基板３の表面に当接する第１基板当接片４ｂｂａと第２基板当接片４ｂｂｂを有している。第１基板当接片４ｂｂａおよび第２基板当接片４ｂｂｂのうちの少なくとも一方は、突起部４ｂの外側に設けられている。
【００４８】
基部４ａおよび突起部４ｂのうちの少なくとも一方は、突起部４ｂ，４ｂの先端同士が基端同士に比べてより近接するように弾性変形可能である。例えば、第１実施形態および後述する第２実施形態では、基部４ａおよび突起部４ｂの両方が弾性変形可能である。このため、光コネクタ固定部材４は、突起部４ｂの外側に設けられた基板当接片（例えば、第１実施形態では、第２基板当接片４ｂｂｂ，４ｂｂｂ）同士を、基部４ａおよび突起部４ｂのうちの少なくとも一方を弾性変形させることにより、互いに近接させる。それだけで、光コネクタ固定部材４を基板３に形成された開口部３ａに挿入することができる。すなわち、光コネクタ固定部材４を基板３に係合させる作業をより容易に行うことができる。
【００４９】
光コネクタ固定部材４は、より具体的には、１枚の板バネから構成され、その１枚の板バネの長手方向の中央部を挟んだ両側の端部を折り曲げ、中央部が基部４ａ、端部が突起部４ｂとされている。コネクタ係合部４ｂｃおよび基板係合部４ｂｂは、１枚の板バネに穴を形成するか、切込みを入れるか、折り曲げるか、又はそれらの組み合わせによって形成される。例えば、第１実施形態では、後述するようにコネクタ係合部４ｂｃおよび基板係合部４ｂｂは、１枚の板バネに対する穴の形成と折り曲げの組み合わせによって形成されている。
【００５０】
この光コネクタ固定部材４は、１枚の板バネに穴を形成するか、切込みを入れるか、折り曲げるか、又はそれらの組み合わせといった簡単な加工だけで光コネクタ固定部材４を製造することができる。このため、製造コストをより低減することができる。
【００５１】
光コネクタ固定部材４においては、第１基板当接片４ｂｂａおよび第２基板当接片４ｂｂｂのうちの少なくとも一方は、弾性変形可能である。（例えば、第１実施形態では、第２基板当接片４ｂｂｂのみが弾性変形可能である。）
【００５２】
この光コネクタ固定部材４によれば、光コネクタ１０１により光コネクタ２にその長手方向（Ｘ方向）への応力が付与されると、第１基板当接片４ｂｂａ又は第２基板当接片４ｂｂｂが弾性変形して光コネクタ固定部材４の基板３への係合が弱まる。このため、光コネクタ２の基板３面内方向（Ｙ方向およびＺ方向）への浮動が可能となる。従って、光コネクタ１０１が光コネクタ２に対して位置ずれしていても、光コネクタ１０１に合わせて光コネクタ２が浮動し位置ずれを吸収して光コネクタ１０１と嵌合することができる。よって、光コネクタ２の嵌合性を向上させることができる。
【００５３】
第１基板当接片４ｂｂａは、より詳細には、図３に示すように、突起部本体４ｂａ幅方向（Ｚ方向）両側から突起部本体４ｂａの外側に向けて立設された１組の立設部分である。各立設部分は、突起部本体４ｂａの板バネからの突出部分であって、突起部本体４ｂａとの境界でその板バネを直角に屈曲したものである。そこで、第１基板当接片４ｂｂａを、以下、適宜、係合立設対４ｂｂａという。
【００５４】
図３では、光コネクタ固定構造１を組み立てた後に光コネクタ２長手方向となる突起部４ｂ長手方向をＸ方向とし、そのＸ方向における図中上側の向きを正向きとする。同様に光コネクタ２幅方向となる基部４ａ長手方向をＹ方向とし、そのＹ方向における図中右側の向きを正向きとする。同様に光コネクタ２厚さ方向であってＸ方向とＹ方向に直交する方向をＺ方向とし、そのＺ方向における図中右側の向きを正向きとする。
【００５５】
係合立設対４ｂｂａは、突起部４ｂａ長手方向（Ｘ方向）に沿う板バネから構成されるので、そのＸ方向には弾性変形しにくくなっている。
【００５６】
第２基板当接片４ｂｂｂは、図３に示すように、突起部本体４ｂａの板バネに基端側（Ｘ方法負向きの側）に開いたＵ字形状の貫通孔で囲まれた舌部として形成されている。この第２基板当接片４ｂｂｂは、その舌部の基端において突起部本体４ｂａの外側に湾曲し始め、舌部の先端に向かうほど突起部本体４ｂａとなす角が大きくなるように湾曲している。第２基板当接片４ｂｂｂはさらに、その先端において基端より小さい半径で基端側と同じ向きに湾曲して基端側に折り返されている。
【００５７】
第２基板当接片４ｂｂｂは、その長手方向の中間部分における湾曲面で基板３と当接する。第２基板当接片４ｂｂｂは、基板３とほぼ平行に当接するため、突起部本体４ｂａ長手方向（Ｘ方向）に対しては弾性変形しやすくなっている（弾性変形可能となっている）。このため、第２基板当接片４ｂｂｂを、以下、係合弾性片４ｂｂｂという。この係合弾性片４ｂｂｂが弾性変形することにより、基板係合部４ｂｂは、基板３を摺動可能に係合することができる。このため、光コネクタ固定部材４は基板３に対して浮動することが可能となる。
【００５８】
突起部４ｂの幅を、基板３の開口部３ａの光コネクタ厚さ方向（Ｚ方向）の寸法より小とし、基部４ａの長さを、開口部３ａの光コネクタ幅方向（Ｙ方向）の寸法より小とする。これにより、基板３の開口部３ａに挿通している突起部４ｂの外側および突起部４ｂ幅方向（Ｚ方向）両側に隙間ができる。従って、光コネクタ固定部材４の基板３の面内における浮動範囲を確保することができる。光コネクタ固定部材４が基板３に対して浮動することにより、光コネクタ固定部材４に固定されている光コネクタ２も、基板３に対して浮動可能となる。そのため、光コネクタ１０１が光コネクタ２に対して位置ずれしていても、光コネクタ２が光コネクタ１０１に合わせて浮動し位置ずれを吸収して光コネクタ１０１と嵌合することができる。よって、光コネクタ２の嵌合性を向上させることができる。
【００５９】
コネクタ係合部４ｂｃと係合するコネクタ係合受部２ｄは、図２に示すように、光コネクタ本体２ａの側面２ａｃ，２ａｃのそれぞれから突設されたＹ方向およびＺ方向に平行な板状のフランジ部である。そこで、以下、コネクタ係合受部２ｄを、フランジ部２ｄという。フランジ部２ｄ，２ｄは、樹脂製であり、光コネクタ本体２ａと一体成形されている。フランジ部２ｄは、弾性変形可能である。フランジ部２ｄには、光コネクタ長手方向（Ｘ方向）に貫通する貫通孔２ｄｂ，２ｄｂが設けられている。
【００６０】
コネクタ係合部４ｂｃには、光コネクタ２のフランジ部２ｄの基端側（Ｘ方向負向きの側）の面に当接する第１コネクタ当接部４ｂｃａと、フランジ部２ｄの貫通孔２ｄｂに挿通される挿通部４ｂｃｃと、挿通部４ｂｃｃに設けられフランジ部２ｄの先端側（Ｘ方向正向きの側）の面に当接する第２コネクタ当接部４ｂｃｂとが設けられている。コネクタ係合部４ｂｃは、貫通孔２ｄｂに挿通部４ｂｃｃを挿通させた状態で、第１コネクタ当接部４ｂｃａと第２コネクタ当接部４ｂｃｂの間にフランジ部２ｄを係合する。これにより、光コネクタ２が光コネクタ固定部材４に固定される。
【００６１】
図３に示すように、挿通部４ｂｃｃは、突起部本体４ｂａの板バネの先端側（Ｘ方向正向きの側）への延長部分として形成されている。
【００６２】
第１コネクタ当接部４ｂｃａは、突起部本体４ｂａの板バネの先端側への延長部分であって、挿通部４ｂｃｃの幅方向（Ｚ方向）両側に設けられている。この例では、第１コネクタ当接部４ｂｃａは、挿通部４ｂｃｃより大きい幅を有しており肩部を構成している。そこで、この第１コネクタ当接部４ｂｃａを、以下、係合肩部４ｂｃａという。係合肩部４ｂｃａは、突起部長手方向（Ｘ方向）に沿う板バネから構成されるので、そのＸ方向には弾性変形しにくい。
【００６３】
第２コネクタ当接部４ｂｃｂは、挿通部４ｂｃｃの板バネに先端側（Ｘ方向正向きの側）に開いたＵ字形状の貫通孔で囲まれた舌部として形成されている。この第２コネクタ当接部４ｂｃｂは、舌部の基端で挿通部４ｂｃｃから鋭角的に挿通部４ｂｃｃの外側に屈曲されている。そこで、この第２コネクタ当接部４ｂｃｂを、以下、屈曲係合部４ｂｃｂという。この屈曲係合部４ｂｃｂは、突起部長手方向（Ｘ方向）に対して傾斜しており、その方向には弾性変形しやすくなっている。
【００６４】
フランジ部２ｄの厚さを屈曲係合部４ｂｃｂの先端と係合肩部４ｂｃａの間の距離と同程度にすると、屈曲係合部４ｂｃｂと係合肩部４ｂｃａの間でフランジ部２ｄがずれにくくなり、フランジ部２ｄをより確実に係合することができる。
【００６５】
フランジ部２ｄの貫通孔２ｄｂは、フランジ部２ｄ幅方向（Ｚ方向）に長い角孔である。貫通孔２ｄｂの角孔の短辺は、屈曲係合部４ｂｃｂの突起部本体４ｂａからの突出長Ｌｂより小さくなっている。この突出長Ｌｂについてはさらに図７を参照して後述する。貫通孔２ｄｂの角孔の長辺は、挿通部４ｂｃｃの幅より大きくなっている。これにより、貫通孔２ｄに挿通部４ｂｃｃを挿通させることが可能となる。
【００６６】
貫通孔２ｄｂの短辺の側面には、挿通部４ｂｃｃのフランジ部２ｄ幅方向（Ｚ方向）の移動を規制する。
【００６７】
図４乃至図８を参照して光コネクタ固定部材４を用いて光コネクタ２を基板３に固定する手順について説明する。
【００６８】
図４乃至図８は、光コネクタ固定構造１を示す側面図である。この側面図は、光コネクタ固定構造１における光コネクタ２幅方向（Ｚ方向）からみた図である。
【００６９】
まず、図４に示すように、光コネクタ固定部材４を、そのＵ字の開いた側とは反対側（Ｘ方向負向きの側）を基板３に向け且つ基部４ａを開口部３ａに対向させて基板３の表面に向かって近付ける。なお、この近付ける動作は、例えば、突起部４ｂ，４ｂのそれぞれの先端を把持して行うが、その把持は人間の指によって行ってもよいし、ロボットのアーム等によって行ってもよい。
【００７０】
光コネクタ固定部材４では、最初に挿入される基部４ａの長さＬｐは、基板３の開口部３ａのＹ方向の幅（以下、開口部幅）Ｌｓよりも小さい。このため、基部４ａは、開口部３ａに挿入することができる。しかし、突起部４ｂの係合弾性片４ｂｂｂは、突起部本体４ｂａから外側に突出している。すなわち、図中右側の係合弾性片４ｂｂｂのＹ方向負向き端と図中左側の係合弾性片４ｂｂｂのＹ方向正向き端との間の距離（以下、係合弾性片通過可能幅という）Ｌａは、基板３の開口部３ａのＹ方向の幅（以下、開口幅という）Ｌｓよりも大きくなっている。従って、このままでは、係合弾性片４ｂｂｂは開口部３ａに挿入できない。
【００７１】
次に、基部４ａおよび突起部４ｂを、突起部４ｂ，４ｂの先端同士が基端同士に比べてより近接するように弾性変形させる。これにより、図中右側の係合弾性片４ｂｂｂと、図中左側の係合弾性片４ｂｂｂが互いに近接し、係合弾性片通過可能幅Ｌａを開口部幅Ｌｓより小さくすることができる。この結果、係合弾性片４ｂｂｂ，４ｂｂｂを開口部３ａに挿入することができる。
【００７２】
図５中右側の係合弾性片４ｂｂｂの拡大図に示すように、係合弾性片４ｂｂｂの上述した折り返し部分は、Ｘ方向負向きに向かうほど内側に向かうように湾曲する第１の湾曲部分ｘｘと、Ｘ方向負向きに向かうほど外側に向かうように湾曲する第２の湾曲部分ｙｙとを有している。
【００７３】
係合弾性片４ｂｂｂの折り返し部分を開口部３ａに挿入し始めると、第１の湾曲部分ｘｘが基板３の開口部３ａの側面に当接する。この第１の湾曲部分ｘｘは、Ｘ方向負向きに向かうほど内側に向かうように湾曲している。このため、光コネクタ固定部材４を基板３に向かって押すだけで、係合弾性片通過可能幅Ｌａが縮小するように基部４ａおよび突起部４ｂが弾性変形する。このように、係合弾性片４ｂｂｂの第１の湾曲部分ｘｘは、係合弾性片４ｂｂｂを開口部３ａに挿入するのを補助する役目を果たす。
【００７４】
その後、係合弾性片４ｂｂｂの折り返し部分が裏面側に突出し始めると、第２の湾曲部分ｙｙが基板３の開口部３ａの側面に当接する。この第２の湾曲部分ｙｙは、Ｘ方向負向きに向かうほど外側に向かうように湾曲している。このため、光コネクタ固定部材４を基板３に向かって押すだけで、係合弾性片通過可能幅Ｌａが拡大するように基部４ａおよび突起部４ｂが弾性変形する。このように、係合弾性片４ｂｂｂの第２の湾曲部分ｙｙは、係合弾性片４ｂｂｂを基板３の裏面側に突出させるのを補助する役目を果たす。
【００７５】
その後、基部４ａおよび突起部４ｂが弾性変形前に戻っていくので、係合弾性片４ｂｂｂと係合立設対４ｂｂａの間に基板３が入り込んでいく。
【００７６】
図６に示すように、基部４ａおよび突起部４ｂが互いに直交する元の状態となるまで、係合弾性片４ｂｂｂと係合立設対４ｂｂａの間に基板３が入り込むと、光コネクタ固定部材４の基板３の開口部３ａへの係合が完了する。
【００７７】
光コネクタ固定部材４の基板３の開口部３ａへの係合が完了すると、開口部３ａと基部４ａの間に光ファイバケーブル５が挿通できる挿通空間６が形成される。
【００７８】
次に、光コネクタ２を用意し、その光コネクタ２から延出する２本の光ファイバケーブル５のそれぞれを基板３の開口部３ａおよび挿通空間６に挿通させる。この挿通空間６のいずれかの開口６ａに各光ファイバケーブル５を通過させる。図７では、両方の光ファイバケーブル５がＺ方向正向きの側の開口６ａに挿通されている。
【００７９】
図７に示すように、光ファイバケーブル５を挿通空間６に挿通させた状態で、光コネクタ２を、その基端側を基板３に向けて基板３に向かって（Ｘ方向に）近づける。この際、光コネクタ２の貫通孔２ｄｂ，２ｄｂのそれぞれを光コネクタ固定部材４の挿通部４ｂｃｃ，４ｂｃｃのそれぞれに対向させる。
【００８０】
次に、貫通孔２ｄｂ，２ｄｂを挿通部４ｂｃｃ，４ｂｃｃに対向させたまま光コネクタ２を基板３に向かって近付けていくと、挿通部４ｂｃｃ，４ｂｃｃの先端が貫通孔２ｄｂ，２ｄｂに挿入されていく。その際、屈曲係合部４ｂｃｂが、貫通孔２ｄｂの側面に当接して弾性変形することにより、突起部本体４ｂａからの突出長Ｌｂが縮小する。
【００８１】
光コネクタ２をさらに基板３に向かって近付けると、フランジ部２ｄの基端側の面が係合肩部４ｂｃａに当接する。この状態では、屈曲係合部４ｂｃｂは貫通孔２ｄｂの側面に当接したままである。そこで、フランジ部２ｄ，２ｄのそれぞれを基端側（Ｘ方向負向きの側）に向かって押圧して弾性変形させる。これにより、屈曲係合部４ｂｃｂが、貫通孔２ｄｂを通過し、屈曲係合部４ｂｃｂが弾性変形前に戻って、屈曲係合部４ｂｃｂが突出長Ｌｂが元に戻る。この結果、図８に示すように、係合肩部４ｂｃａと屈曲係合部４ｂｃｂの間にフランジ部２ｄが挟み込まれ、コネクタ係合部４ｂｃがフランジ部２ｄに係合される。
【００８２】
これにより、光コネクタ２の基板３への固定が完了する。
＜第２実施形態＞
【００８３】
図９乃至図１５を参照して本発明に係る第２実施形態の光コネクタ固定構造について説明する。
【００８４】
図９は、第２実施形態の光コネクタ固定構造１１を示す斜視図である。図９は、基板３の光コネクタ２を配置している表面からみた斜視図である。
【００８５】
第２実施形態の光コネクタ固定構造１１では、光コネクタ２、光コネクタ固定部材４の代わりに、それぞれ、光コネクタ１２、光コネクタ固定部材１４を採用しており、それ以外は第１実施形態の光コネクタ固定構造１と同じである。そこで、第２実施形態の光コネクタ固定構造１１において、第１実施形態の光コネクタ固定構造１における対応する部分には同じ符号を付しており、その説明を適宜省略する。
【００８６】
第２実施形態の光コネクタ１２は、コネクタ係合受部２ｄの代わりに、コネクタ係合受部１２ｄを採用しており、それ以外は第１実施形態の光コネクタ２と同じである。そこで、第２実施形態の光コネクタ１２において、第１実施形態の光コネクタ２における対応する部分には同じ符号を付しており、その説明を適宜省略する。
【００８７】
コネクタ係合受部１２ｄは、光コネクタ固定部材１４の後述するコネクタ係合部１４ｂｃと係合する係合受部である。
【００８８】
第２実施形態の光コネクタ固定部材１４は、突起部４ｂの代わりに、突起部１４ｂを採用しており、それ以外は第１実施形態の光コネクタ固定部材４と同じである。そこで、第２実施形態の光コネクタ固定部材１４において、第１実施形態の光コネクタ固定部材４における対応する部分には同じ符号を付しており、その説明を適宜省略する。
【００８９】
光コネクタ固定構造１１において、光コネクタ１２長手方向をＸ方向とし、そのＸ方向における図中左側の向きを正向きとする。光コネクタ１２幅方向をＹ方向とし、そのＹ方向における図中右側の向きを正向きとする。光コネクタ１２厚さ方向であってＸ方向およびＹ方向に直交する方向をＺ方向とし、そのＺ方向における図中上側の向きを正向きとする。
【００９０】
図１０を参照して、光コネクタ固定部材１４の突起部１４ｂについてさらに説明する。
【００９１】
図１０は、光コネクタ固定部材１４を示す斜視図である。
【００９２】
図１０では、光コネクタ固定構造１１を組み立てた後に光コネクタ１２長手方向となる突起部１４ｂ長手方向をＸ方向とし、そのＸ方向における図中下側の向きを正向きとする。光コネクタ１２幅方向となる基部４ａ長手方向をＹ方向とし、そのＹ方向における図中右側の向きを正向きとする。光コネクタ１２厚さ方向となるＸ方向とＹ方向に直交する方向をＺ方向とし、そのＺ方向における図中右側の向きを正向きとする。
【００９３】
突起部１４ｂには、突起部本体１４ｂａと、基板３の開口部３ａと係合する基板係合部１４ｂｂと、光コネクタ１２のコネクタ係合受部１２ｄと係合するコネクタ係合部１４ｂｃとが設けられている。
【００９４】
基板係合部１４ｂｂには、基板３の表面に当接する第１基板当接片１４ｂｂａと、基板３の裏面に当接する第２基板当接片１４ｂｂｂとを有している。第１基板当接片１４ｂｂａおよび第２基板当接片１４ｂｂｂのうちの少なくとも一方は、突起部１４ｂの外側に設けられている。
【００９５】
基部１４ａおよび突起部１４ｂのうちの少なくとも一方は、突起部１４ｂ，１４ｂの先端同士が基端同士に比べてより近接するように弾性変形可能である。第２実施形態では、基部４ａおよび突起部４ｂの両方が弾性変形可能である。このため、光コネクタ固定部材１４は、突起部１４ｂの外側に設けられた基板当接片（例えば、第２実施形態では、第１基板当接片４ｂｂａ，４ｂｂａ）同士を、基部４ａおよび突起部４ｂのうちの少なくとも一方を弾性変形させることにより、互いに近接させる。それだけで、光コネクタ固定部材１４を基板３に形成された開口部３ａに挿入することができる。すなわち、光コネクタ固定部材４を基板３に係合させる作業をより容易に行うことができる。
【００９６】
光コネクタ固定部材１４は、より具体的には、１枚の板バネから構成され、その１枚の板バネの長手方向の中央部を挟んだ両側の端部を折り曲げ、中央部が基部４ａ、端部が突起部４ｂとされている。コネクタ係合部１４ｂｃおよび基板係合部１４ｂｂは、１枚の板バネに穴を形成するか、切込みを入れるか、折り曲げるか、又はそれらの組み合わせによって形成される。例えば、第２実施形態では、後述するように、コネクタ係合部１４ｂｃは１枚の板バネに対する穴の形成によって形成されている。基板係合部１４ｂｂは、１枚の板バネに対する穴の形成と折り曲げの組み合わせによって形成されている。
【００９７】
この光コネクタ固定部材１４は、簡単な加工だけで光コネクタ固定部材４を製造することができる。このため、製造コストをより低減することができる。
【００９８】
光コネクタ固定部材１４においては、第１基板当接片４ｂｂａおよび第２基板当接片４ｂｂｂのうちの少なくとも一方は、弾性変形可能である。（例えば、第２実施形態では、第１基板当接片４ｂｂａのみが弾性変形可能である。）
【００９９】
この光コネクタ固定部材１４によれば、光コネクタ１０１により光コネクタ１２にその長手方向（Ｘ方向）への応力が付与されると、第１基板当接片１４ｂｂａ又は第２基板当接片１４ｂｂｂが弾性変形して光コネクタ固定部材１４の基板３への係合が弱まる。このため、光コネクタ１２の基板３面内方向（Ｙ方向およびＺ方向）への浮動が可能となる。従って、光コネクタ１０１が光コネクタ１２に対して位置ずれしていても、光コネクタ１０１に合わせて光コネクタ１２が浮動し位置ずれを吸収して光コネクタ１０１と嵌合することができる。よって、光コネクタ１２の嵌合性を向上させることができる。
【０１００】
第１基板当接片１４ｂｂａは、より詳細には、図１０に示すように、突起部本体１４ｂａの板バネを先端側に延長した延長部分であって、突起部本体１４ｂａとの境界において突起部本体１４ｂａとのなす角が鋭角になるように外側に屈曲されている。第１基板当接片１４ｂｂａはさらに、その先端ｚｚにおいて突起部本体１４ｂａとほぼ平行となるように屈曲したものである。そこで、この第１基板当接片１４ｂｂａを、以下、適宜、屈曲係合腕部１４ｂｂａという。
【０１０１】
屈曲係合腕部１４ｂｂａは、先端ｚｚを除き、突起部長手方向（Ｘ方向）に対して傾斜した板バネから構成されるので、その方向に弾性変形し易くなっている。この屈曲係合腕部１４ｂｂａが弾性変形することにより、基板係合部１４ｂｂは、基板３を摺動可能に係合することができる。このため、光コネクタ固定部材１４は基板３に対して浮動することが可能となる。
【０１０２】
第２基板当接片１４ｂｂｂは、図１０に示すように、突起部本体１４ｂａを構成する板バネに基端側（Ｘ方向負向き）に開いたＵ字形状の貫通孔で囲まれた舌部として形成されている。この第２基板当接片１４ｂｂｂは、その舌部の基端において突起部本体１４ｂａの外側に直角に屈曲されている。そこで、以下、この第２基板当接片１４ｂｂｂを、係合屈曲片１４ｂｂｂいう。
【０１０３】
係合屈曲片１４ｂｂｂは、突起部１４ｂ長手方向（Ｘ方向）と直交するものの、弾性変形しにくい基端を含めて基板３と当接するので、突起部長手方向（Ｘ方向）には弾性変形しにくくなっている。
【０１０４】
コネクタ係合部１４ｂｃと係合するコネクタ係合受部１２ｄは、光コネクタ固定部材１４の後述するコネクタ係合部１４ｂｃと係合する係合受部である。
【０１０５】
より詳細には、図９に示すように、コネクタ係合受部１２ｄは、ハウジング本体２ａの側面２ａｃ，２ａｃのそれぞれに設けられた凸部である。そこで、以下、適宜、コネクタ係合受部１２ｄを、係合凸部１２ｄという。係合凸部１２ｄは、例えば樹脂製であり、ハウジング本体２ａと一体成形されている。
【０１０６】
コネクタ係合部１４ｂｃは、図１０に示すように、突起部本体１４ｂａの板バネに貫通孔として形成されている。そこで、コネクタ係合部１４ｂｃを、以下、コネクタ係合穴１４ｂｃという。コネクタ係合穴１４ｂｃは、光コネクタ１２の係合凸部１２ｄに係合する。係合凸部１２ｄは、突起部本体１４ｂａ幅方向（Ｚ方向）に細長い突条である。
【０１０７】
コネクタ係合穴１４ｂｃの突起部本体１４ｂａ長手方向（Ｘ方向）両側の側面によって、係合凸部１２ｄの突起部本体１４ｂａ長手方向（Ｘ方向）への移動が規制される。コネクタ係合穴１４ｂｃの突起部本体１４ｂａ幅方向（Ｚ方向）両側の側面によって、係合凸部１２ｄの突起部本体１４ｂａ幅方向（Ｚ方向）への移動が規制される。
【０１０８】
図１１乃至図１５を参照して光コネクタ固定部材１４を用いて光コネクタ１２を基板３に固定する手順について説明する。
【０１０９】
図１１乃至図１５は、光コネクタ固定構造１１を示す側面図である。この側面図は、光コネクタ固定構造１１における光コネクタ１２幅方向（Ｚ方向）からみた図である。
【０１１０】
まず、図１１に示すように、光コネクタ固定部材１４を、そのＵ字の開いた側（突起部１４ｂ側）を基板３に向け且つ基部４ａを開口部３ａに対向させて基板３の裏面に向かって近付ける。
【０１１１】
光コネクタ固定部材１４では、最初に挿入される突起部１４ｂの屈曲係合腕部１４ｂｂａが突起部本体１４ｂａから外側に突出している。すなわち、図中右側のの屈曲係合腕部１４ｂｂａのＹ方向負向き端と図中左側の係合弾性片４ｂｂｂのＹ方向正向き端との間の距離（以下、屈曲係合腕部通過可能幅という）Ｌｘは、開口部３ａの開口幅Ｌｓよりも大きくなっている。
【０１１２】
しかし、屈曲係合腕部１４ｂｂａが突起部本体１４ｂａ方向の基端側（Ｘ方向負向きの側）に向かうほど突起部本体１４ｂａの外側に傾斜している。このため、光コネクタ固定部材１４を基板３に近付けていくと、基板３の開口部３ａに、突起部１４ｂ，１４ｂの先端が挿入されていく。この際、屈曲係合腕部１４ｂｂａが開口部３ａの側面によって内側に押圧され、それとともに突起部本体１４ｂａ，１４ｂａも内側に押圧され、突起部本体１４ｂａ，１４ｂａがその先端同士が基端同士に比べてより近接するように、基部４ａおよび突起部１４ｂが弾性変形される。
【０１１３】
これにより、図１２に示すように、突起部１４ｂの屈曲係合腕部１４ｂｂａの屈曲係合腕部通過可能幅Ｌｘが、開口部幅Ｌｓより小さくなり、屈曲係合腕部１４ｂｂａ，１４ｂｂａを開口部３ａに挿入することができる。
【０１１４】
屈曲係合腕部１４ｂｂａの先端ｚｚを基板３の表面側に突出させると、基部４ａおよび突起部１４ｂが弾性変形前に戻っていく。この際、屈曲係合腕部１４ｂｂａの先端ｚｚと係合屈曲片１４ｂｂｂの間に基板３が入り込んでいく。
【０１１５】
図１３に示すように、基部４ａおよび突起部本体１４ｂａが互いに直交する元の状態となるまで、屈曲係合腕部１４ｂｂａの先端ｚｚと係合弾性片４ｂｂｂの間に基板３が入り込むと、光コネクタ固定部材１４の基板３の開口部３ａへの係合が完了する。
【０１１６】
光コネクタ固定部材１４の基板３への係合が完了すると、開口部３ａと基部４ａの間に光ファイバケーブル５が挿通できる挿通空間６が形成される。
【０１１７】
次に、光コネクタ１２を用意し、光コネクタ１２から延出する２本の光ファイバケーブル５のそれぞれを基板３の開口部３ａおよび挿通空間６に挿通させる。この挿通空間６のいずれかの開口６ａに各光ファイバケーブル５を通過させる。図１４では、両方の光ファイバケーブル５がＺ方向正向きの側の開口６ａに挿通されている。
【０１１８】
図１４に示すように、光ファイバケーブル５を挿通空間６に挿通させた状態で、光コネクタ１２を、その基端側を基板３に向けて基板３に向かって（Ｘ方向）に近付ける。この際、光コネクタ１２の係合凸部１２ｄ，１２ｄのそれぞれを光コネクタ固定部材１４の突起部本体１４ｂａ，１４ｂａのそれぞれに対向させる。
【０１１９】
次に、突起部本体１４ｂａ，１４ｂａの先端同士の距離が大きくなるように、基部４ａおよび突起部１４ｂを弾性変形させる。先端同士の距離が大きくなった突起部本体１４ｂａ，１４ｂａ同士の間に、光コネクタ１２を挟み込む。これにより、突起部本体１４ｂａ，１４ｂａのそれぞれと光コネクタ１２の係合凸部１２ｄ，１２ｄのそれぞれとが当接する。
【０１２０】
突起部本体１４ｂａ，１４ｂａのそれぞれと光コネクタ１２の係合凸部１２ｄ，１２ｄのそれぞれが当接した状態のまま、光コネクタ１２をさらに基板３に近付けると、係合凸部１２ｄ，１２ｄのそれぞれが、コネクタ係合穴１４ｂｃ，１４ｂｃのそれぞれの位置まで到達する。そうすると、基部４ａおよび突起部１４ｂが弾性変形前に戻って、図１５に示すように、係合凸部１２ｄ，１２ｄのそれぞれが、コネクタ係合穴１４ｂｃ，１４ｂｃのそれぞれと係合する。
【０１２１】
これにより、光コネクタ１２の基板３への固定が完了する。
【０１２２】
本発明に係る光コネクタ固定構造は、上述した第１および第２実施形態には特に限定されず、種々の変更が可能である。例えば、上述したバックプレーンやミドルプレーンを採用する機器だけではなく、嵌合方向が基板と直交する光コネクタを用いるあらゆる機器に適用することができる。
【符号の説明】
【０１２３】
１…光コネクタ固定構造，２…光コネクタ，２ａ…ハウジング本体，２ｂ…係合凹所，２ｃ…フェルール，２ｄ…コネクタ係合受部、フランジ部，２ｄｂ…貫通孔，３…基板，３ａ…開口部，４…光コネクタ固定部材，４ａ…基部，４ｂ…突起部，４ｂａ…突起部本体，４ｂｂ…基板係合部，４ｂｂａ…第１の基板当接片、係合立設対，４ｂｂｂ…第２の基板当接片、係合弾性片，４ｂｃ…コネクタ係合部，４ｂｃａ…第１コネクタ当接部、係合肩部，４ｂｃｂ…第２コネクタ当接部、屈曲係合部，４ｂｃｃ…挿通部，５…光ファイバケーブル，５ａ…光ファイバ素線，５ｃ…保護チューブ，６…挿通空間，１１…光コネクタ固定構造，１２…光コネクタ，１２ａ…ハウジング本体，１２ｄ…コネクタ係合受部、係合凸部，１４…光コネクタ固定部材，１４ｂ…突起部，１４ｂａ…突起部本体，１４ｂｂ…基板係合部，１４ｂｂａ…第１基板当接片、屈曲係合腕部，１４ｂｂｂ…第２基板当接片、係合屈曲片，１４ｂｃ…コネクタ係合部、コネクタ係合穴，１０１…光コネクタ，１０２…基板，１０３…光ファイバケーブル。
【図１】
2015187627.tif 000003
【図２】
2015187627.tif 000004
【図３】
2015187627.tif 000005
【図４】
2015187627.tif 000006
【図５】
2015187627.tif 000007
【図６】
2015187627.tif 000008
【図７】
2015187627.tif 000009
【図８】
2015187627.tif 000010
【図９】
2015187627.tif 000011
【図１０】
2015187627.tif 000012
【図１１】
2015187627.tif 000013
【図１２】
2015187627.tif 000014
【図１３】
2015187627.tif 000015
【図１４】
2015187627.tif 000016
【図１５】
2015187627.tif 000017